(57)【要約】【課題】コストアップを抑えながら、接触式ＩＣカードに帯電した静電気を放電できる接触式ＩＣカード用のリーダライタを得る。【解決手段】本発明に係るリーダライタ１は、本体ケース３内に接触式ＩＣカード２の電極端子Ｐ１〜Ｐ８に接触する接触端子１１〜１８を設けてある。接触式ＩＣカード２が本体ケース３内に挿入されたときは、接触式ＩＣカード２のカード本体２ａが接触端子１１〜１８に接触し、次いで電極端子Ｐ１〜Ｐ８が接触端子１１〜１８と接触する。本発明は、接地用スイッチング素子２５〜２７と、該スイッチング素子２５〜２７のオンオフを制御する制御部８とを有する。制御部８は、接触端子１６〜１８が接触式ＩＣカード２のカード本体２ａに接触している間はスイッチング素子２５〜２７をオンして接触端子１６〜１８を接地し、各電極端子Ｐ１〜Ｐ８と各接触端子１１〜１８とが接触したときには、スイッチング素子２５〜２７をオフして接地状態を解除する。【選択図】図１
2010225059.tif 000002
【特許請求の範囲】
【請求項１】
複数の電極端子を備えた接触式ＩＣカードが挿入される本体ケースを有し、この本体ケース内には、前記ＩＣカードにおける複数の電極端子にそれぞれ対応する複数の接触端子が設けられており、前記ＩＣカードが本体ケース内に挿入されたときに、まず当該ＩＣカードにおけるカード本体が前記接触端子に接触し、次いで前記各電極端子がこれに対応する前記本体ケース内の各接触端子と接触して電気的に接続される接触式ＩＣカード用のリーダライタであって、
前記複数の接触端子のうちの少なくとも一個の接触端子（特定接触端子）を接地するための接地用スイッチング素子と、
このスイッチング素子のオンオフを制御する制御部とを有し、
この制御部は、前記特定接触端子が前記ＩＣカードのカード本体に接触している間は前記スイッチング素子をオンして前記特定接触端子を接地状態にし、前記対応する前記各電極端子と前記各接触端子とがそれぞれ接触したときには前記スイッチング素子をオフして前記接地状態を解除することを特徴とする接触式ＩＣカード用のリーダライタ。
【請求項２】
カード挿入方向に向かって前後二列に配置された複数の電極端子を備えた接触式ＩＣカードが挿入される本体ケースを有し、前記ＩＣカードにおける前後二列の複数の電極端子にそれぞれ対応する前後二列の複数の接触端子が設けられており、前記ＩＣカードが本体ケース内に挿入されたときに、まず当該ＩＣカードにおけるカード本体が前記接触端子に接触し、次いで前記各電極端子がこれに対応する前記本体ケース内の各接触端子と接触して電気的に接続される接触式ＩＣカード用のリーダライタであって、
前記前後二列の複数の接触端子のうち、前記ＩＣカードの挿入時に前記カード本体が先に接触することとなる前列側の少なくとも一個の接触端子（特定接触端子）を接地するための接地用スイッチング素子と、
このスイッチング素子のオンオフを制御する制御部とを有し、
この制御部は、前記特定接触端子が前記ＩＣカードのカード本体に接触している間は前記スイッチング素子をオンして前記特定接触端子を接地状態にし、前記対応する前記各電極端子と前記各接触端子とがそれぞれ接触したときには前記スイッチング素子をオフして前記接地状態を解除することを特徴とする接触式ＩＣカード用のリーダライタ。
【請求項３】
前記本体ケース内には、前記ＩＣカード側の各電極端子がこれに対応するリーダライタ側の各接触端子と接触する所定の装着位置まで前記ＩＣカードが挿入されたときに、これを検出するカード検出スイッチが設けられており、
前記制御部は、前記カード検出スイッチによって前記ＩＣカードが前記装着位置に挿入されたことが検出されるまでは前記スイッチング素子をオンし、前記カード検出スイッチによって前記ＩＣカードが前記装着位置に挿入されたことが検出されると前記スイッチング素子をオフする請求項１または２記載の接触式ＩＣカード用のリーダライタ。
【請求項４】
複数の接触端子のうちの一つが接触式ＩＣカードに対する電源電圧供給用の接触端子とされており、
前記制御部は、前記ＩＣカードが前記装着位置まで挿入されたことを前記カード検出スイッチが検出してから所定時間が経過したときに、前記電源電圧供給用の接触端子に電源電圧を供給する請求項３記載の接触式ＩＣカード用のリーダライタ。
【発明の詳細な説明】
【技術分野】
【０００１】
本発明は、接触式ＩＣカード用のリーダライタに関し、詳しくは接触式ＩＣカードの複数の電極端子にそれぞれ接触することで電気的に接続される複数の接触端子が設けられたリーダライタに関する。
【背景技術】
【０００２】
この種の接触式ＩＣカード（以下、単にＩＣカードともいう。）は、一般に、そのカード本体がプラスチックで形成されていることからカード本体には静電気が帯電し易い。そのため、リーダライタに挿入されると、カード本体に帯電している静電気がリーダライタの回路基板の配線や部品等にスパイク状に放電されて、リーダライタまたはＩＣカードの誤動作や破損等を招く虞がある。
【０００３】
その対策としては、例えば特許文献１に示すようにリーダライタに静電気除去用の放電端子を設けたものが知られている。詳しくは、特許文献１に記載のリーダライタでは、ＩＣカード接続用の接触端子を設けた端子ブロックにグランド部を付設し、このグランド部に静電気除去用の放電端子を配置している。そして、リーダライタのＩＣカード接続用の接触端子とＩＣカードの電極端子とが接触する前に、静電気除去用の放電端子にＩＣカードのカード本体の表面を接触させて、ＩＣカードに帯電している静電気を除去するようになっている。
【先行技術文献】
【特許文献】
【０００４】
【特許文献１】特開平８−２８７１９８号公報
【発明の概要】
【発明が解決しようとする課題】
【０００５】
特許文献１に示すリーダライタでは、端子ブロックにグランド部を新たに付設することになるために端子ブロックの設計変更が必要なうえ、そのグランド部に静電気除去用の放電端子を取り付ける分だけ構造が複雑になって、リーダライタのコストアップを招くことになる。
【０００６】
本発明は、上記のような問題に対処するもので、リーダライタのコストアップを抑えながら、接触式ＩＣカードに帯電した静電気を除去できる接触式ＩＣカード用のリーダライタを得ることを目的とする。
【課題を解決するための手段】
【０００７】
本発明は、図１〜８に示すように、複数の電極端子（図７および図８では電極端子Ｐ１〜Ｐ８）を備えた接触式ＩＣカード（以下、単にＩＣカードともいう。）２が挿入される本体ケース３を有し、この本体ケース３内には、ＩＣカード２における複数の電極端子にそれぞれ対応する複数の接触端子（図７および図８では接触端子１１〜１８）が設けられており、ＩＣカード２が本体ケース３内に挿入されたときに、まず当該ＩＣカード２におけるカード本体２ａが接触端子に接触し、次いで各電極端子がこれに対応する本体ケース３内の各接触端子と接触して電気的に接続される接触式ＩＣカード用のリーダライタ１を対象とする。
【０００８】
本発明のリーダライタ１は、複数の接触端子のうちの少なくとも一個の接触端子（特定接触端子、図１では接触端子１６〜１８）を接地するための接地用スイッチング素子（図１では接地用スイッチング素子接触端子２５〜２７）と、この接地用スイッチング素子のオンオフを制御する制御部８とを有する。この制御部８は、特定接触端子がＩＣカード２のカード本体２ａに接触している間は接地用スイッチング素子をオンして特定接触端子を接地状態にし、前記対応する各電極端子と各接触端子とがそれぞれ接触したときには接地用スイッチング素子をオフして前記接地状態を解除する構成としてある。
【０００９】
また、本発明は、カード挿入方向Ｃ（図７参照）に向かって前後二列に配置された複数の電極端子を備えたＩＣカード２が挿入される本体ケース３を有し、ＩＣカード２における前後二列の複数の電極端子（図７および図８では電極端子Ｐ１〜Ｐ８）にそれぞれ対応する前後二列の複数の接触端子（図７および図８では接触端子１１〜１８）が設けられており、ＩＣカード２を本体ケース３内に挿入したときに、まず当該ＩＣカード２におけるカード本体２ａが接触端子（図７および図８では接触端子１５〜１８）に接触し、次いで各電極端子がこれに対応する本体ケース３内の各接触端子と接触して電気的に接続されるＩＣカード用のリーダライタ１をも対象とする。
【００１０】
この場合における本発明のリーダライタ１は、前後二列の複数の接触端子（図１および図７では接触端子１１〜１８）のうち、ＩＣカード２の挿入時にカード本体２ａが先に接触することとなる前列側の少なくとも一個の接触端子（特定接触端子、図１および図７では接触端子１６〜１８）を接地するための接地用スイッチング素子（図１では接地用スイッチング素子接触端子２５〜２７）と、この接地用スイッチング素子のオンオフを制御する制御部８とを有する。この制御部８は、特定接触端子がＩＣカード２のカード本体２ａに接触している間は接地用スイッチング素子をオンして特定接触端子を接地状態にし、前記対応する各電極端子と各接触端子とがそれぞれ接触したときには接地用スイッチング素子をオフして前記接地状態を解除する。
【００１１】
本体ケース３内には、ＩＣカード２側の各電極端子がこれに対応するリーダライタ１側の各接触端子と接触する所定の装着位置までＩＣカード２が挿入されたときに、これを検出するカード検出スイッチ７を設けることができる。この場合には、制御部８は、カード検出スイッチ７によってＩＣカード２が装着位置に挿入されたことが検出されるまでは接地用スイッチング素子をオンし、カード検出スイッチ７によってＩＣカード２が装着位置に挿入されたことが検出されると接地用スイッチング素子をオフするものとすることができる。
【００１２】
複数の接触端子のうちの一つがＩＣカード２に対する電源電圧供給用の接触端子（図７では接触端子１１）とし、制御部８は、ＩＣカード２が装着位置まで挿入されたことをカード検出スイッチ７が検出してから所定時間が経過したときに、電源電圧供給用の接触端子に電源電圧Ｖｃｃを供給するものとすることができる。
【発明の効果】
【００１３】
本発明に係る接触式ＩＣカード用のリーダライタにおいては、特定接触端子がＩＣカード２のカード本体２ａに接触している間は接地用スイッチング素子をオンして特定接触端子を接地状態にし、ＩＣカード２の各電極端子とリーダライタ１の各接触端子とがそれぞれ接触したときには接地用スイッチング素子をオフして接地状態を解除するので、まず、その接地によってＩＣカード２のカード本体２ａに帯電している静電気が特定接触端子を介してアースに流れて除去される。その結果、ＩＣカード２の静電気がリーダライタ１内の基板９の配線や部品等に不本意に放電されることを回避でき、その放電によってリーダライタ１またはＩＣカード２の誤動作や破損等を招くことを確実に防止できる。次いでＩＣカード２の各電極端子とリーダライタ１の各接触端子とが接触したときには特定接触端子１の接地状態が解除され、これによってリーダライタ１とＩＣカード２とは、前述の静電気の除去後に各接触端子と各電極端子とを介して適正に通信を行なうことができる。
【００１４】
そのうえで、ＩＣカード接続用のリーダライタ１の接触端子のうちから特定した少なくとも一個の接触端子を特定接触端子として、ＩＣカード２の静電気除去に使用するので、例えば、ＩＣカード２の静電気除去に専用に使用する放電端子およびその放電端子を支持するための部材をリーダライタ１に設けなくても済み、その分だけリーダライタ１の構造の複雑化を防止できて、リーダライタ１のコストアップを抑制できる。本発明では、スイッチング素子を設けることになるが、スイッチング素子は、安価であるうえに制御部８の構成部品等を設けた基板９に容易に配置することができる。したがって、前述の専用の放電端子およびその放電端子を支持する部材を設ける場合よりも安価に作製することができる。
【００１５】
リーダライタ１の前後二列の複数の接触端子のうち、ＩＣカード２の挿入時にカード本体２ａが先に接触することとなる前列側の接触端子（特定接触端子）を接地用スイッチング素子で接地する構成にした場合には、ＩＣカード２のカード本体２ａの静電気を、ＩＣカード２を本体ケース３内に挿入する際の早い段階で除去でき、ＩＣカード２の静電気がリーダライタ１内の基板９の配線や部品等に放電されることをより確実に防止できる。
【００１６】
ＩＣカード２の電極端子がこれに対応するリーダライタ１側の接触端子と接触する装着位置にＩＣカード２が挿入されたことを検出するカード検出スイッチ７を本体ケース３内に配置すると、制御部８は、ＩＣカード２の各電極端子とリーダライタ１の各接触端子とが接触したことを正確に判別して接触端子の接地状態を解除できる。
【００１７】
ＩＣカード２が装着位置まで挿入されたことをカード検出スイッチ７が検出してから所定時間が経過したときに、電源電圧供給用の接触端子１１に電源電圧Ｖｃｃを供給すると、チャタリング等が収拾してＩＣカード２の各電極端子とリーダライタ１の各接触端子との接触状態が安定したのちに、ＩＣカード２に電源電圧Ｖｃｃを供給することができる。これによって、突入電流が流れることの回避と、ＩＣカード２への正常な給電を行なうこととを確実に行なうことができる。
【図面の簡単な説明】
【００１８】
【図１】本発明に係る接触式ＩＣカード用のリーダライタのブロック構成図である。
【図２】リーダライタに接触式ＩＣカードを挿入した状態を示す平面図である。
【図３】リーダライタおよび接触式ＩＣカードの斜視図である。
【図４】図２のＡ−Ａ線断面図である。
【図５】図２のＢ−Ｂ線断面図である。
【図６】リーダライタの動作を示すタイミングチャートである。
【図７】リーダライタに接触式ＩＣカードを挿入する状態を示す要部拡大図である。
【図８】リーダライタに接触式ＩＣカードを装着した状態を示す要部拡大図である。
【発明を実施するための形態】
【００１９】
図１〜図８に、本実施形態に係る接触式ＩＣカード用のリーダライタを示す。このリーダライタ１は、図２および図３に示すように、ＩＣカード２が本体ケース３内に挿入されることで、ＩＣカード２とデータ通信を行なうようになっている。本体ケース３には、その一端側（図３では右端側）にＩＣカード２を挿入するための開口４が形成されており、この開口４からＩＣカード２が挿入されるようになっている。
【００２０】
ＩＣカード２は、図３に示すように、プラスチック製のカード本体２ａの表面であってカード本体２ａの周縁よりも内側となる所定位置（図示例では、カード本体２ａのカード挿入端２ｂから一定距離だけカード本体２ａの内側に寄った位置）に、リーダライタ１に設けた後述の端子ブロック６と電気的に接触するコンタクト部５を有する。コンタクト部５には、八個の電極端子Ｐ１〜Ｐ８が配置されており、各電極端子Ｐ１〜Ｐ８が、ＩＣカード２のカード本体２ａ内に配置したＩＣチップ（不図示）に電気的に接続されている。
【００２１】
ＩＣカード２の各電極端子Ｐ１〜Ｐ８は、図７に示すカード挿入方向Ｃに向かって前後に二列に分かれて配置されている。具体的には、図３の一部に拡大して示すように、八個の電極端子Ｐ１〜Ｐ８のうち、電極端子Ｐ１〜Ｐ４の四個が、コンタクト部５の前側に左右方向に並べて配置され、電極端子Ｐ５〜Ｐ８の四個が、コンタクト部５の後ろ側に左右方向に並べて配置されている。このうち、電極端子Ｐ１はＶｃｃ（電源電圧）、電極端子Ｐ２はＲＳＴ（リセット信号）、電極端子Ｐ３はＣＬＫ（クロック信号）、電極端子Ｐ５はＧＮＤ（接地）、電極端子Ｐ６はＶｐｐ（データ書込時の供給電圧）および電極端子Ｐ７はＩ／Ｏ（データ入出力）用の端子とされている。電極端子Ｐ４と電極端子Ｐ８とは予備端子である。
【００２２】
リーダライタ１の本体ケース３内には、ＩＣカード２を所定位置まで挿入したときに当該ＩＣカード２における各電極端子Ｐ５〜Ｐ８と電気的に接触する八個の接触端子１１〜１８を備えた端子ブロック６と、ＩＣカード２を検出するカード検出スイッチ７と、制御部８（図１）とが設けられている。端子ブロック６、カード検出スイッチ７および制御部８は、本体ケース３内に配置した基板９に固定されている。端子ブロック６の各接触端子１１〜１８は、ＩＣカード２の前後二列の各電極端子Ｐ１〜Ｐ８にそれぞれ対応して前後二列に設けられている。具体的には、各接触端子１１〜１８のうち、接触端子１１〜１４の四個は、本体ケース３の奥側（後列側）に左右方向に並べて配置され、接触端子１５〜１８の四個が、本体ケース３の開口４側（前列側）に左右方向に並べて配置されている。
【００２３】
各接触端子１１〜１８は、図４に示すように、端子ブロック６のプラスチック製のブロック本体１９に配置された片持ち支持の板ばねからなり、リーダライタ１の前後方向に延びている。そして、前列側の接触端子１５〜１８および後列側の接触端子１１〜１４は、その各基端部がブロック本体１９の前縁部１９ａおよび後縁部１９ｂにそれぞれ固定されているとともに、各先端部が下向きの円弧状に湾曲しており、当該各先端部が図４の下側（ＩＣカード２側）方向に付勢されている。また、接触端子１１〜１８の各先端部は、ブロック本体１９の前後方向の中央部１９ｃ側に位置しており、それらの下方への揺動が、ブロック本体１９の中央部１９ｃへの当接によって所定位置（図４の仮想線の位置）で規制されるようになっている。
【００２４】
そして、ＩＣカード２が本体ケース３内に挿入されたときには、次のようにして各電極端子Ｐ１〜Ｐ８と各接触端子１１〜１８とが電気的に接続されるように構成されている。
【００２５】
まずＩＣカード２のカード本体２ａの前端が前列側の接触端子１５〜１８に接触し、次いでＩＣカード２が前列側の接触端子１５〜１８を押し上げて弾性変形させることで、その弾性復元力で各接触端子１５〜１８の先端部がＩＣカード２のカード本体２ａに押し付けられる（図４の実線参照）。続いてＩＣカード２のカード本体２ａが後列側の接触端子１１〜１４に接触し、ＩＣカード２が後列側の接触端子１１〜１４を押し上げて弾性変形させることで、その弾性復元力で各接触端子１１〜１４の先端部がＩＣカード２に押し付けられる。その後のＩＣカード２挿入操作によって、各電極端子Ｐ１〜Ｐ８がこれに対応する各接触端子１１〜１８とそれぞれ接触して接続される。
【００２６】
カード検出スイッチ７は、図５に示すように、基板９に固定されるプラスチック製のスイッチ本体２０と、スイッチ本体２０に片持ち支持された板ばねからなる固定片２１と、スイッチ本体２０に揺動可能に取り付けられてＩＣカード２に接触可能な揺動片２２とからなる。固定片２１と揺動片２２とは、それぞれリーダライタ１の前後方向に伸びており、図７に示すように左右に並べて配置されている。
【００２７】
揺動片２２は、その先端部２２ａが固定片２１側へ折れ曲がって固定片２１の先端の下側に位置しており、また図５示すように先端部２２ａの後ろ側に、下向きの円弧状に湾曲する中間部２２ｂが形成されている。揺動片２２は、常態で固定片２１から離れており、中間部２２ｂがＩＣカード２によって押し上げられることで揺動片２２の先端部２２ａが固定片２１の先端側に接触するようになっている（図５の状態）。そして、カード検出スイッチ７は、ＩＣカード２の各電極端子Ｐ１〜Ｐ８がこれに対応するリーダライタ１の各接触端子１１〜１８と接触する所定の装着位置（図２の位置）までＩＣカード２が挿入されたときに、前述のように揺動片２２が固定片２１に接触することで、Ｃカード２が装着位置に挿入されたことを検出するようになっている。端子ブロック６のブロック本体１９と、カード検出スイッチ７のスイッチ本体２０とは一体形成されている。
【００２８】
リーダライタ１の本体ケース３内には、図２に示すように、挿入されたＩＣカード２を受け止めて所定の装着位置に位置決めする一対のカードストッパ２３・２３が設けられている。そして、ＩＣカード２が前記装着位置でカードストッパ２３・２３に受け止められたときには、前述の要領でカード検出スイッチ７の揺動片２２の先端部２２ａが固定片２１に接触し、またＩＣカード２の電極端子Ｐ１〜Ｐ８とリーダライタ１の接触端子１１〜１８とが接触するようになっている。
【００２９】
端子ブロック６の各接触端子１１〜１８とカード検出スイッチ７の揺動片２２とは、図１に示すように、制御部８に接続されている。端子ブロック６の各接触端子１１〜１８のうち、ＩＣカード２の挿入時にカード本体２ａが先に接触することとなる前列側の接触端子（特定接触端子）１６〜１８には、それぞれ放電抵抗Ｒ１〜Ｒ３と接地用スイッチング素子２５〜２７との直列回路からなる放電回路２８〜３０が接続されている。制御部８は、接地用スイッチング素子２５〜２７をオンオフ制御するためのゲート信号を各接地用スイッチング素子２５〜２７に出力するようになっている。各接地用スイッチング素子２５〜２７は、ゲート信号がハイになるとオンして接触端子１６〜１８を抵抗Ｒ１〜Ｒ３を介して接地状態にし、ゲート信号がローになるとオフして前記接地状態を解除するようになっている。
【００３０】
カード検出スイッチ７の固定片２１は、制御部８のスイッチ入力端子３１に接続されており、また抵抗Ｒ４を介して電源（電圧Ｖｃｃ）に接続されている。揺動片２２は接地状態になっている。そして、揺動片２２が固定片２１に接触したときに、制御部８のスイッチ入力端子３１への入力信号がハイ（オフ信号）からロー（オン信号）になる。また、リーダライタ１には、図１に示すケーブル３２が接続されており、制御部８は、ケーブル３２を介して外部管理装置３３に接続されている。制御部８は、外部管理装置３３との通信に基づいて、ＩＣカード２のコンタクト部５の各電極端子Ｐ１〜Ｐ８を介してＩＣカード２のＩＣチップに記憶されているデータを読み出し、またはＩＣチップにデータを書き込むようになっている。
【００３１】
次に、本実施形態のリーダライタ１の動作を図６のタイミングチャート、図７および図８を用いて説明する。リーダライタ１の制御部８は、ＩＣカード２がリーダライタ１の開口４に挿入される前の状態では、各接触端子１１〜１８を開放状態にしてある。具体的には、ＩＣカード２の電源用の電極端子Ｐ１に接触するリーダライタ１の電源電圧供給用の接触端子１１には電圧Ｖｃｃを供給しておらず、電圧Ｖｐｐ用の電極端子Ｐ６に接触するリーダライタ１の接触端子１６には電圧Ｖｐｐを供給していない。
【００３２】
また、制御部８から接地用スイッチング素子２５〜２７へのゲート信号はハイになっており、接地用スイッチング素子２５〜２７はオンしている。これによって、端子ブロック６の接触端子１６〜１８が抵抗Ｒ１〜Ｒ３を介して接地されている。ＩＣカード２の接地用の電極端子Ｐ５に接触するリーダライタ１の接触端子１５は常時接地されている。
【００３３】
この状態で、ＩＣカード２が前側からリーダライタ１の開口４に挿入されると、前述のように本体ケース３の開口４側（前列側）の接触端子１５および特定接触端子１６〜１８がＩＣカード２のカード本体２ａの表面に接触する。その際、接触端子１５および特定接触端子１６〜１８が接地状態であることで、ＩＣカード２のカード本体２ａに帯電している静電気が接触端子１５〜１８を介してアースに流れて除去される。続いて図７に示すように本体ケース３の奥側（後列側）の接触端子１１〜１４がＩＣカード２のカード本体２ａの表面に接触する。
【００３４】
そして、図８に示すように、ＩＣカード２がリーダライタ１のカードストッパ２３・２３に受け止められる装着位置まで本体ケース３内に挿入されたときには（図６の時刻ｔ１）、カード検出スイッチ７の揺動片２２の先端部２２ａが固定片２１に接触する。これによって制御部８のスイッチ入力端子３１への入力信号がオフ信号からオン信号に切り換わり、制御部８は、カード検出スイッチ７によってＩＣカード２が装着位置に挿入されたことを判別する。それに応じて制御部８は、接地用スイッチング素子２５〜２７へのゲート信号をハイからローへ切り換え、それに伴なって各接地用スイッチング素子２５〜２７がオフして、接触端子１６〜１８の接地状態が解除される。
【００３５】
ＩＣカード２が装着位置まで本体ケース３内に挿入されたときには、ＩＣカード２の各電極端子Ｐ１〜Ｐ８が対応するリーダライタ１の各接触端子１１〜１８にそれぞれ接触しており（図８の状態）、制御部８は、前記時刻ｔ１から所定時間が経過するのを待って（図６の時刻ｔ２）、ＩＣカード２の電源用の電極端子Ｐ１に対する電源電圧供給用の接触端子１１に電源電圧Ｖｃｃを供給する。これによって、ＩＣカード２のＩＣチップが作動し、そのＩＣチップに記憶されているデータの読み出し等が可能になる。
【００３６】
このように、リーダライタ１の前列側の接触端子（特定接触端子）１６〜１８がＩＣカード２のカード本体２ａに接触している間は特定接触端子１６〜１８を接地状態にするので、ＩＣカード２のカード本体２ａに帯電している静電気が接触端子１５および接触端子１６〜１８によって除去される。これによって、ＩＣカード２の静電気がリーダライタ１内の基板９の配線や部品等に放電されて、リーダライタ１またはＩＣカード２の誤動作や破損等を招くことを確実に回避できる。
【００３７】
そのうえで、ＩＣカード接続用のリーダライタ１の接触端子１１〜１８のうちから特定した特定接触端子１６〜１８を静電気除去に使用するので、ＩＣカード２の静電気を除去するための専用の放電端子およびその放電端子を支持する部材をリーダライタ１に別途設けなくても済む。
【００３８】
また、ＩＣカード２がリーダライタ１のカードストッパ２３・２３に受け止められるまで、すなわちＩＣカード２が装着位置まで挿入されるまでは接触端子１１に電源電圧Ｖｃｃが供給されないので、チャタリング等が収拾して各電極端子Ｐ１〜Ｐ８と各接触端子１１〜１８との接触状態が安定したのちに、ＩＣカード２に電源電圧Ｖｃｃを供給することができる。これによって、突入電流が流れることの回避とＩＣカード２への正常な給電を行なうこととができる。
【００３９】
接地用スイッチング素子が接続される特定接触端子は、多いほうが好ましいが、接触端子１６〜１８のうちの少なくともひとつの接触端子に接地用スイッチング素子を接続すれば、ＩＣカード２の静電気の除去を行なうことができる。リーダライタ１は、ＩＣカード２に記憶されているデータの読み出しのみを行なうものであってもよい。
【符号の説明】
【００４０】
１  リーダライタ
２  接触式ＩＣカード
２ａ  カード本体
３  本体ケース
４  開口
７  カード検出スイッチ
８  制御部
９  基板
１１〜１８  接触端子
２５〜２７  接地用スイッチング素子
Ｐ１〜Ｐ８  電極端子
【図１】
2010225059.tif 000003
【図２】
2010225059.tif 000004
【図３】
2010225059.tif 000005
【図４】
2010225059.tif 000006
【図５】
2010225059.tif 000007
【図６】
2010225059.tif 000008
【図７】
2010225059.tif 000009
【図８】
2010225059.tif 000010